【手続補正書】
【提出日】平成18年11月7日(2006.11.7)
【手続補正１】
【補正対象書類名】明細書
【補正対象項目名】特許請求の範囲
【補正方法】変更
【補正の内容】
【特許請求の範囲】
【請求項１】
画像データに対して圧縮符号化を行う画像符号化装置であって、
画像データに対して変更可能な第１の圧縮符号化パラメータを用いて圧縮符号化を行う第１の圧縮符号化手段と、
前記第１の圧縮符号化パラメータよりも高い圧縮率で圧縮可能であって、変更可能な第２の圧縮符号化パラメータを用いて前記画像データに対して圧縮符号化を行う第２の圧縮符号化手段と、
前記第１の圧縮符号化手段により圧縮符号化された符号化データ列のデータ量を計数すると共に、当該データ量が所定量以上であるか否かを判断する判断手段と、
前記判断手段により前記第１の圧縮符号化手段による符号化データ列のデータ量が所定量以上であると判断される度に、前記第１の圧縮符号化パラメータを前記第２の圧縮符号化パラメータで置き換え、前記第２の圧縮符号化パラメータを更に高い圧縮率を得るためのパラメータに変更する変更手段と、
前記判断手段により前記第１の圧縮符号化手段による符号化データ列のデータ量が所定量以上であると判断された場合、前記第２の圧縮符号化手段により従前に圧縮符号化された符号化データ列を、パラメータ変更後の前記第１の圧縮符号化手段により圧縮符号化されたものとして保存する保存手段と、
前記判断手段により前記第１の圧縮符号化手段による符号化データ列のデータ量が所定量以上であると判断された場合、前記第２の圧縮符号化手段で従前に圧縮符号化されたデータを、前記変更手段によって変更した前記第２の圧縮符号化手段用のパラメータに従い再度圧縮符号化する再圧縮符号化手段と、
前記再圧縮符号化手段による再圧縮符号化処理が完了するより前に、前記判断手段により前記第１の圧縮符号化手段による符号化データ列のデータ量が所定量以上であると判断された場合、あるいは所定量以上になると予想された場合、前記第１の圧縮符号化手段による圧縮符号化処理を中断するように制御する制御手段と
を備えることを特徴とする画像符号化装置。
【請求項２】
前記第１，第２の圧縮符号化パラメータは、量子化された変換係数に対するスケーリング値であることを特徴とする請求項１に記載の画像符号化装置。
【請求項３】
前記保存手段が保存する符号化データ列の後続の符号化データ列は、前記変更後の前記第１の圧縮符号化パラメータを用いて前記第１の圧縮符号化手段により生成されることを特徴とする請求項１に記載の画像符号化装置。
【請求項４】
前記再圧縮符号化手段により再圧縮符号化された符号化データ列の後続の符号化データ列は、前記変更後の前記第２の圧縮符号化パラメータを用いて前記第２の圧縮符号化手段により生成されることを特徴とする請求項１に記載の画像符号化装置。
【請求項５】
画像データに対して圧縮符号化を行う画像符号化方法であって、
画像データに対して変更可能な第１の圧縮符号化パラメータを用いて圧縮符号化を行う第１の圧縮符号化工程と、
前記第１の圧縮符号化パラメータよりも高い圧縮率で圧縮可能であって、変更可能な第２の圧縮符号化パラメータを用いて前記画像データに対して圧縮符号化を行う第２の圧縮符号化工程と、
前記第１の圧縮符号化工程で圧縮符号化された符号化データ列のデータ量を計数すると共に、当該データ量が所定量以上であるか否かを判断する判断工程と、
前記判断工程で前記第１の圧縮符号化工程による符号化データ列のデータ量が所定量以上であると判断される度に、前記第１の圧縮符号化パラメータを前記第２の圧縮符号化パラメータで置き換え、前記第２の圧縮符号化パラメータを更に高い圧縮率を得るためのパラメータに変更する変更工程と、
前記判断工程で前記第１の圧縮符号化工程による符号化データ列のデータ量が所定量以上であると判断された場合、前記第２の圧縮符号化工程で従前に圧縮符号化された符号化データ列を、パラメータ変更後の前記第１の圧縮符号化工程で圧縮符号化されたものとして保存する保存工程と、
前記判断工程で前記第１の圧縮符号化工程による符号化データ列のデータ量が所定量以上であると判断された場合、前記第２の圧縮符号化工程で従前に圧縮符号化されたデータを、前記変更工程で変更した前記第２の圧縮符号化工程用のパラメータに従い再度圧縮符号化する再圧縮符号化工程と、
前記再圧縮符号化工程での再圧縮符号化処理が完了するより前に、前記判断工程で前記第１の圧縮符号化工程による符号化データ列のデータ量が所定量以上であると判断された場合、あるいは所定量以上になると予想された場合、前記第１の圧縮符号化工程による圧縮符号化処理を中断するように制御する制御工程と
を備えることを特徴とする画像符号化方法。
【請求項６】
情報処理装置に読み込ませることで、当該情報処理装置を請求項１乃至４のいずれか１項に記載の画像符号化装置として機能させるプログラム。
【請求項７】
コンピュータに請求項５に記載の画像符号化方法を実行させる為のプログラム。
【請求項８】
請求項６又は７に記載のプログラムを格納したことを特徴とする、コンピュータ読み取り可能な記憶媒体。
【手続補正２】
【補正対象書類名】明細書
【補正対象項目名】００３２
【補正方法】変更
【補正の内容】
【００３２】
すなわち、画像データに対して圧縮符号化を行う画像符号化装置であって、
画像データに対して変更可能な第１の圧縮符号化パラメータを用いて圧縮符号化を行う第１の圧縮符号化手段と、
前記第１の圧縮符号化パラメータよりも高い圧縮率で圧縮可能であって、変更可能な第２の圧縮符号化パラメータを用いて前記画像データに対して圧縮符号化を行う第２の圧縮符号化手段と、
前記第１の圧縮符号化手段により圧縮符号化された符号化データ列のデータ量を計数すると共に、当該データ量が所定量以上であるか否かを判断する判断手段と、
前記判断手段により前記第１の圧縮符号化手段による符号化データ列のデータ量が所定量以上であると判断される度に、前記第１の圧縮符号化パラメータを前記第２の圧縮符号化パラメータで置き換え、前記第２の圧縮符号化パラメータを更に高い圧縮率を得るためのパラメータに変更する変更手段と、
前記判断手段により前記第１の圧縮符号化手段による符号化データ列のデータ量が所定量以上であると判断された場合、前記第２の圧縮符号化手段により従前に圧縮符号化された符号化データ列を、パラメータ変更後の前記第１の圧縮符号化手段により圧縮符号化されたものとして保存する保存手段と、
前記判断手段により前記第１の圧縮符号化手段による符号化データ列のデータ量が所定量以上であると判断された場合、前記第２の圧縮符号化手段で従前に圧縮符号化されたデータを、前記変更手段によって変更した前記第２の圧縮符号化手段用のパラメータに従い再度圧縮符号化する再圧縮符号化手段と、
前記再圧縮符号化手段による再圧縮符号化処理が完了するより前に、前記判断手段により前記第１の圧縮符号化手段による符号化データ列のデータ量が所定量以上であると判断された場合、あるいは所定量以上になると予想された場合、前記第１の圧縮符号化手段による圧縮符号化処理を中断するように制御する制御手段と
を備えることを特徴とする。
【手続補正３】
【補正対象書類名】明細書
【補正対象項目名】００３４
【補正方法】変更
【補正の内容】
【００３４】
すなわち、画像データに対して圧縮符号化を行う画像符号化方法であって、
画像データに対して変更可能な第１の圧縮符号化パラメータを用いて圧縮符号化を行う第１の圧縮符号化工程と、
前記第１の圧縮符号化パラメータよりも高い圧縮率で圧縮可能であって、変更可能な第２の圧縮符号化パラメータを用いて前記画像データに対して圧縮符号化を行う第２の圧縮符号化工程と、
前記第１の圧縮符号化工程で圧縮符号化された符号化データ列のデータ量を計数すると共に、当該データ量が所定量以上であるか否かを判断する判断工程と、
前記判断工程で前記第１の圧縮符号化工程による符号化データ列のデータ量が所定量以上であると判断される度に、前記第１の圧縮符号化パラメータを前記第２の圧縮符号化パラメータで置き換え、前記第２の圧縮符号化パラメータを更に高い圧縮率を得るためのパラメータに変更する変更工程と、
前記判断工程で前記第１の圧縮符号化工程による符号化データ列のデータ量が所定量以上であると判断された場合、前記第２の圧縮符号化工程で従前に圧縮符号化された符号化データ列を、パラメータ変更後の前記第１の圧縮符号化工程で圧縮符号化されたものとして保存する保存工程と、
前記判断工程で前記第１の圧縮符号化工程による符号化データ列のデータ量が所定量以上であると判断された場合、前記第２の圧縮符号化工程で従前に圧縮符号化されたデータを、前記変更工程で変更した前記第２の圧縮符号化工程用のパラメータに従い再度圧縮符号化する再圧縮符号化工程と、
前記再圧縮符号化工程での再圧縮符号化処理が完了するより前に、前記判断工程で前記第１の圧縮符号化工程による符号化データ列のデータ量が所定量以上であると判断された場合、あるいは所定量以上になると予想された場合、前記第１の圧縮符号化工程による圧縮符号化処理を中断するように制御する制御工程と
を備えることを特徴とする。